(57)【要約】【課題】チャンネル固定機能を備えた多チャンネル、多チューナ対応のテレビジョン受像機であって、現在設定しているチャンネル固定状態の表示や変更などを簡易な操作で行うことができるテレビジョン受像機を提供する。【解決手段】放送を選局し受信する１以上の受信処理部と、該受信信号をＡ／Ｖ信号に変換する１以上の信号処理部と、該Ａ／Ｖ信号を出力する１以上の出力制御部とを備えたテレビジョン受像機であって、前記受信処理部、前記信号処理部及び前記出力制御部を組み合わせてなる１以上の受信経路を固定することができるチャンネル固定機能を備えたテレビジョン受像機。【選択図】  図１
2005026821.tif 000002
【特許請求の範囲】
【請求項１】
放送を選局し受信する１以上の受信処理部と、該受信信号をＡ／Ｖ信号に変換する１以上の信号処理部と、該Ａ／Ｖ信号を出力する１以上の出力制御部とを備えたテレビジョン受像機であって、
前記受信処理部、前記信号処理部及び前記出力制御部を組み合わせてなる１以上の受信経路を固定することができるチャンネル固定機能を備えたテレビジョン受像機。
【請求項２】
前記受信処理部は、衛星デジタル放送、地上デジタル放送、地上アナログ放送及びケーブルテレビ放送のうち少なくとも１つを選局し受信するアンテナ及びチューナを含んでいることを特徴とする請求項１に記載のテレビジョン受像機。
【請求項３】
前記受信処理部は、外部機器から入力されたＡ／Ｖデータを処理する入力制御部をさらに含んでいることを特徴とする請求項２に記載のテレビジョン受像機。
【請求項４】
前記信号処理部は、デジタル放送信号を処理するデコーダ及びアナログ放送信号を処理する処理部のうち少なくとも一方を含んでいることを特徴とする請求項１に記載のテレビジョン受像機。
【請求項５】
前記出力制御部は、前記Ａ／Ｖ信号を視聴画面に出力する出力制御部及び前記Ａ／Ｖ信号を外部機器に出力する出力制御部のうち少なくとも一方を含んでいることを特徴とする請求項１に記載のテレビジョン受像機。
【請求項６】
前記チャンネル固定機能を提供するためのチャンネル固定機能部であって、
前記固定した受信経路に含まれる受信処理部、信号処理部及び出力制御部の組み合わせをチャンネル固定情報として記憶するチャンネル固定情報管理手段と、
前記記憶したチャンネル固定情報を変更するチャンネル固定設定手段と、
を含んだチャンネル固定機能部をさらに備えていることを特徴とする請求項１から５のいずれか１項に記載のテレビジョン受像機。
【請求項７】
前記チャンネル固定機能部は、
前記記憶したチャンネル固定情報を参照するチャンネル固定検索手段と、
前記参照したチャンネル固定情報を視聴画面に表示するチャンネル固定情報表示手段と、をさらに備えていることを特徴とする請求項６に記載のテレビジョン受像機。
【請求項８】
前記チャンネル固定情報表示手段は、前記チャンネル固定情報を視聴画面にＯＳＤ表示することを特徴とする請求項７に記載のテレビジョン受像機。
【請求項９】
前記チャンネル固定機能部は、
ユーザが前記視聴画面に表示したチャンネル固定情報に含まれる受信経路のうち１つを選択した場合には、当該受信経路において取得されるＡ／Ｖ信号を視聴画面に出力させる視聴映像切り替え手段をさらに備えていることを特徴とする請求項８に記載のテレビジョン受像機。
【請求項１０】
放送を選局し受信する１以上の受信処理部と、該受信信号をＡ／Ｖ信号に変換する１以上の信号処理部と、該Ａ／Ｖ信号を出力する１以上の出力制御部とを備えたテレビジョン受像機において用いるチャンネル固定プログラムであって、
前記受信処理部、前記信号処理部及び前記出力制御部を組み合わせてなる１以上の受信経路を固定し記憶するチャンネル固定情報管理手段を備えたチャンネル固定プログラム。
【請求項１１】
前記記憶したチャンネル固定情報を変更するチャンネル固定設定手段と、
前記記憶したチャンネル固定情報を参照するチャンネル固定検索手段と、
前記参照したチャンネル固定情報を視聴画面に表示するチャンネル固定情報表示手段と、
ユーザが前記視聴画面に表示したチャンネル固定情報に含まれる受信経路のうち１つを選択した場合には、当該受信経路において取得されるＡ／Ｖ信号を視聴画面に出力させる視聴映像切り替え手段をさらに備えていることを特徴とする請求項１０に記載のチャンネル固定プログラム。
【発明の詳細な説明】
【０００１】
【発明の属する技術分野】
本発明は、チャンネル固定機能を備えたテレビジョン受像機に関し、特に、多チャンネル化、多チューナ化、多画面化が進むテレビジョン受像機において、ユーザが簡便な操作で利用できるチャンネル固定機能を備えたテレビジョン受像機に関するものである。
【０００２】
【従来の技術】
ＢＳ放送やＣＳ放送などの衛星放送受信機能が内蔵されているテレビジョン受像機では、ユーザが任意のチャンネルを選局した状態を固定するチャンネル固定機能を備えているのが一般的である。例えば、ＢＳ放送についてチャンネル固定を設定している場合には、そのチャンネルの視聴中に他のＢＳ放送チャンネルの選局動作を行うと、視聴画面に「チャンネル固定中」の旨がＯＳＤ（Ｏｎ  Ｓｃｒｅｅｎ  Ｄｉｓｐｌａｙ）表示され、ユーザが行った選局はキャンセルされることになる。
【０００３】
また、ユーザが地上波のチャンネルを選局したり、テレビジョン受像機の電源をＯＦＦにしたりしても、ＢＳ放送受信機能は固定されたＢＳ放送チャンネルを受信し続けるので、例えば、チャンネル固定したＢＳ放送チャンネルをバックグラウンドでＶＴＲ録画させておくこともできる。
【０００４】
ＢＳ放送受信機能を内蔵したテレビジョン受像機において、ＢＳ放送チャンネルのチャンネル固定を設定するには、通常、ＢＳ放送チャンネルを選局して視聴画面に受像した後、そのチャンネルを視聴している状態で、チャンネル固定を設定する。ユーザは、視聴画面に表示されるＯＳＤメニューやリモートコントローラ（以下、「リモコン」と記載する）などを操作してこれらの設定を行うことができる。
【０００５】
一方、チャンネル固定を解除するには、視聴画面を固定したＢＳ放送チャンネルに切り替えてから、ＯＳＤメニューやリモコンなどを操作してチャンネル固定の解除を行うことができるようになっている。
【０００６】
図７は、従来使用されているＢＳ／ＣＳチューナ内蔵テレビジョン受像機の内部構成を概略的に示す機能ブロック図である。
図７に示すテレビジョン受像機は、リモコン受光部１１及びリモコン受信部２と、ＢＳ／ＣＳアンテナ１２、ＢＳ／ＣＳチューナ３及びＢＳ／ＣＳデコーダ６と、Ｕ／Ｖアンテナ１３及びＵ／Ｖチューナ４と、外部Ａ／Ｖ入力信号１４が入力される外部Ａ／Ｖ入力制御部５と、ＯＳＤ制御部７と、アナログ映像音声処理部８と、映像・音声出力制御部９と、視聴画面１５と、スピーカ１６と、外部Ａ／Ｖ出力信号１７を出力する外部Ａ／Ｖ出力制御部１０と、上記各構成部分の動作を制御するシステムコントローラ１とから構成されている。
【０００７】
リモコン受光部１１は、赤外線を使用した光通信、例えばＩｒＤＡ（Ｉｎｆｒａｒｅｄ  Ｄａｔａ  Ａｓｓｏｃｉａｔｉｏｎ）、などにより外部のリモコンから発信された光信号を受信する。リモコン受信部２は、リモコン受光部１１において受信した光信号を復調して通信データを取得し、システムコントローラ１に出力する。
【０００８】
ＢＳ／ＣＳアンテナ１２は、ＢＳ放送及びＣＳ放送を受信可能な混合アンテナであり、通常は分配器を介してＢＳ／ＣＳチューナ３に接続されている。ＢＳ／ＣＳチューナ３は、システムコントローラ１から受信した選局信号に基づいて、所定の周波数チャンネルのＢＳ／ＣＳ放送を選局・受信し、ＢＳ／ＣＳデコーダ６に出力する。ＢＳ／ＣＳデコーダ６は、入力された放送信号からＡ／Ｖ（Ａｕｄｉｏ／Ｖｉｄｅｏ、映像・音声）信号を復調し、アナログ映像音声処理部８に出力する。
【０００９】
Ｕ／Ｖアンテナ１３は、ＵＨＦ／ＶＨＦ混合アンテナであり、アナログ地上波放送を受信するためのものである。Ｕ／Ｖチューナ４は、システムコントローラ１から受信した選局信号に基づいて、所定の周波数チャンネルのＵＨＦ／ＶＨＦ放送を選局・受信し、受信信号をアナログ映像音声処理部８に出力する。
【００１０】
尚、近年では、Ｕ／Ｖ＋ＢＳ混合アンテナなど、各種の混合アンテナが提供されているので、このようなアンテナと混合器・分配器を組み合わせて用いることもできる。
【００１１】
外部Ａ／Ｖ入力制御部５は、本テレビジョン受像機に外部から入力される外部Ａ／Ｖ入力信号１４を処理し、得られたＡ／Ｖ信号をアナログ映像音声処理部８に出力する。尚、図７では、外部Ａ／Ｖ入力信号１４を模式的に示しているが、実際には、例えば外部入力端子を通じて外部接続されたアナログ／デジタルビデオプレイヤからのＶＴＲ再生信号などである。
【００１２】
アナログ映像音声処理部８は、ＢＳ／ＣＳデコーダ６、Ｕ／Ｖチューナ４又は外部Ａ／Ｖ入力制御部５から受信したＡ／Ｖ信号を、視聴画面１５及びスピーカ１６で再生できるように所定の処理を行う。処理されたＡ／Ｖ信号は、システムコントローラ１からの制御に応じて、映像・音声出力制御部９又は外部Ａ／Ｖ出力制御部１０に出力される。
【００１３】
ＯＳＤ制御部７は、視聴チャンネル、現在時刻、音量、各種設定画面などのＯＳＤ表示データをシステムコントローラ１から受信し、視聴画面１５上に表示可能な形態（通常は画素値データ）として映像・音声出力制御部９に出力する。
【００１４】
映像・音声出力制御部９は、アナログ映像音声処理部８から受信したＡ／Ｖ信号と、ＯＳＤ制御部７から受信したＯＳＤ表示データとを合成した後、映像信号を視聴画面１５に、音声信号をスピーカ１６に、それぞれ出力する。このとき、ＯＳＤ表示データは、映像信号上に重畳されて合成される。
【００１５】
視聴画面１５は、一般的なディスプレイ装置の表示部で構成されており、例えば、ＣＲＴ（陰極線管）ディスプレイ、液晶ディスプレイ（ＬＣＤ）、有機／無機ＥＬディスプレイ、プラズマディスプレイなどが用いられている。スピーカ１６は、アンプ等を備えた一般的なスピーカであるが、典型的には、視聴画面１５と一体形成されている。
【００１６】
外部Ａ／Ｖ出力制御部１０は、アナログ映像音声処理部８から受信したＡ／Ｖ信号を処理し、外部Ａ／Ｖ出力信号１７として本テレビジョン受像機の外部に出力する。尚、図７では、外部Ａ／Ｖ入力信号１４を模式的に示しているが、実際には、例えば外部出力端子を通じて外部接続されたアナログ／デジタルビデオレコーダで録画するためのＶＴＲ信号などである。
尚、録音再生機能を備えたアナログ／デジタルビデオデッキを本テレビジョン受像機の外部入力端子及び外部出力端子の両方に接続することもできる。
【００１７】
上記のような構成を有する従来のテレビジョン受像機において、ＢＳ／ＣＳ放送又は地上アナログ（ＵＨＦ／ＶＨＦ）放送のチャンネルを選局し、外部接続されたビデオレコーダで録画する際には、チャンネル固定機能を利用することができる。例えば、ＢＳ／ＣＳ放送をチャンネル固定して録画する場合には、ＢＳ／ＣＳチューナ３で選局されたチャンネルの受信信号が、ＢＳ／ＣＳデコーダ６、アナログ映像音声処理部８及び外部Ａ／Ｖ出力制御部を経て外部に出力されるまでの経路が固定されることになる。これと同時に、Ｕ／Ｖチューナ４からの放送信号や外部Ａ／Ｖ入力制御部５からの再生信号を、映像・音声出力制御部９を通じて視聴画面に表示することができるので、ユーザはＢＳ／ＣＳ放送の固定したチャンネルをバックグラウンド録画しながら、ＢＳ／ＣＳ放送以外の他のチャンネルを視聴することが可能である。
【００１８】
ところで、今日のテレビジョン受信環境は、アナログ放送からデジタル放送へ移行する時期であり、現在、全国で視聴されているアナログ地上放送に代わる新しい地上デジタル放送の準備が進んでいる。この地上波デジタル放送に加えて、既にサービスが開始されているＢＳディジタル放送やＣＳ１１０度デジタル放送などの放送ネットワークなどの存在により、放送の多チャンネル化が進みつつある。
【００１９】
他方で、地域に根ざしたケーブルテレビジョン放送や、ブロードバンド回線によるインターネット接続を利用したオンライン動画配信なども普及が進んでいる。近年、ＩＥＥＥ  １３９４やＩＥＥＥ８０２．ｂなどの通信規格により高速通信可能な家庭内ネットワークを構成し、このネットワークを通じてＡＶ機器を相互に接続し、連携して動作させるＨＡＶｉ（Ｈｏｍｅ  Ａｕｄｉｏ  Ｖｉｄｅｏ  Ｉｎｔｅｒｏｐｅｒａｂｉｌｉｔｙ）システムなどが提案されている。これにより、例えば、パーソナルコンピュータのハードディスク装置やＤＶＤプレイヤーなどに記録されている動画などのコンテンツをテレビジョン受信機において再生することも可能となる。
【００２０】
このような情勢下、テレビジョン受像機についても、従来の地上アナログ放送のみを受信するものや、ＢＳディジタル放送やＣＳ１１０度デジタル放送など個々の放送サービスにのみ対応したものに代わって、各種アナログ／デジタル放送のほか、アナログ／デジタルビデオ、ハードディスクレコーダ、ＤＶＤプレイヤー、オンライン配信コンテンツなど多様な受像・再生環境を兼ね備えたテレビジョン受像機が提案されるようになっている。すなわち、テレビジョン受像機の多チャンネル化、多チューナ化、多画面化が進み、一度に複数のチャンネルを視聴したり、異なる放送サービス又はソースから取得される複数のコンテンツを同時に視聴・録画したりすることが可能となっている。
【００２１】
特許文献１に記載のテレビジョン受像機は、衛星放送チャンネル固定スイッチを備えることにより、衛星放送の録画中にユーザが誤ってチャンネル選局を変更したり電源をオフにしたりすることにより録画が中断されるのを防止できることを特徴としている。
【００２２】
特許文献２に記載のテレビジョン受像機は、ＢＳ放送のチャンネル固定機能を備えたテレビジョン受像機であり、ＢＳ録画実行中及びＢＳチャンネル選局情報を記憶するメモリ手段をさらに設けたことにより、ＢＳチャンネル固定中にＢＳチャンネル切り替え操作が行われると、メモリ手段に記憶した情報に基づいて、チャンネル固定の種類を識別し、その結果を画面上に表示することを特徴としている。
【００２３】
【特許文献１】
特開平２−１８６８８６号公報。
【特許文献２】
特開平５−２６０４８４号公報。
【００２４】
【発明が解決しようとする課題】
しかしながら、上記のようなテレビジョン受像機の多チャンネル化、多チューナ化、多画面化が進むにともない、ユーザが選局し視聴できるチャンネル数が増大し、視聴・録画のスタイルが多様化する中で、テレビジョン受像機が備える複数のチューナのそれぞれに対して選局を行うことになるため、ユーザが各チューナの現在の選局状態を全て把握しきれなくなってしまうような状況が生じている。
【００２５】
上記した特許文献１及び２の例にあるように、チャンネル固定機能は、放送をバックグラウンドで受信して録画するのに多用される機能であるが、チャンネル固定されている選局状態を変更するような動作をしない限りは、ユーザはチャンネル固定を設定していることを意識することがないため、設定したチャンネル固定を容易に忘却してしまうことになる。特に、多チャンネル化、多チューナ化したテレビジョン受像機では、各種チューナごとにチャンネル固定を設定することができる上に、選局できるチャンネル数も膨大であるので、ユーザは自らが設定したチャンネル固定を把握できなくなる可能性が高い。
【００２６】
また、ユーザが設定したチャンネル固定の状態や録画状態を視聴画面に表示して確認しようとする場合には、リモコンや操作パネルなどを用いてチューナの切り替え操作を行った後、チャンネル選局操作を１回ずつ行いながら、チャンネル固定されているチャンネルを探さなければならず、多チャンネル化、多チューナ化したテレビジョン受像機では、非常に煩雑な操作となることが考えられる。
【００２７】
そこで本発明は、このような実情に鑑みてなされたものであり、チャンネル固定機能を備えた多チャンネル、多チューナ対応のテレビジョン受像機であって、現在設定しているチャンネル固定状態の表示や変更などを簡易な操作で行うことができる、ユーザにとって利便性の高いテレビジョン受像機を提供しようとするものである。
【００２８】
【課題を解決するための手段】
本発明は、放送を選局し受信する１以上の受信処理部と、該受信信号をＡ／Ｖ信号に変換する１以上の信号処理部と、該Ａ／Ｖ信号を出力する１以上の出力制御部とを備えたテレビジョン受像機であって、前記受信処理部、前記信号処理部及び前記出力制御部を組み合わせてなる１以上の受信経路を固定することができるチャンネル固定機能を備えたテレビジョン受像機を提供するものである。
【００２９】
本発明のテレビジョン受像機では、チャンネル固定をするにあたって、単にチューナ等の選局しているチャンネルを記憶し固定するのではなく、受信処理部、信号処理部及び出力制御部を組み合わせてなる受信経路を記憶し固定するので、多チャンネル化、多チューナ化により煩雑な受信処理系統、信号処理系統、出力系統を有するテレビジョン受像機においても、効率よく受信経路を確保することが可能となる。
【００３０】
本発明のテレビジョン受像機において、前記受信処理部は、衛星デジタル放送、地上デジタル放送、地上アナログ放送及びケーブルテレビ放送のうち少なくとも１つを選局し受信するアンテナ及びチューナを含んでいることを特徴とする。
【００３１】
本発明のテレビジョン受像機において、前記受信処理部は、外部機器から入力されたＡ／Ｖデータを処理する入力制御部をさらに含んでいることを特徴とする。これにより、例えば、外部入力端子を通じて外部接続されたアナログ／デジタルビデオプレイヤなどからのＶＴＲ再生信号を、上記アンテナ及びチューナから受信した放送信号と同等に扱うことができる。
【００３２】
本発明のテレビジョン受像機において、前記信号処理部は、デジタル放送信号を処理するデコーダ及びアナログ放送信号を処理する処理部のうち少なくとも一方を含んでいることを特徴とする。デジタル放送の信号処理には、通常、ＭＰＥＧ２−ＴＳ方式の信号処理系統を使用する。
【００３３】
本発明のテレビジョン受像機において、前記出力制御部は、前記Ａ／Ｖ信号を視聴画面に出力する出力制御部及び前記Ａ／Ｖ信号を外部機器に出力する出力制御部のうち少なくとも一方を含んでいることを特徴とする。前記Ａ／Ｖ信号は、ユーザの視聴用に視聴画面に出力するほかに、外部出力端子を通じて外部接続されたアナログ／デジタルビデオレコーダで録画するためのＶＴＲ信号として利用することができる。
【００３４】
本発明のテレビジョン受像機において、前記チャンネル固定機能を提供するためのチャンネル固定機能部であって、前記固定した受信経路に含まれる受信処理部、信号処理部及び出力制御部の組み合わせをチャンネル固定情報として記憶するチャンネル固定情報管理手段と、前記記憶したチャンネル固定情報を変更するチャンネル固定設定手段と、を含んだチャンネル固定機能部をさらに備えていることを特徴とする。
【００３５】
本発明のテレビジョン受像機において、前記チャンネル固定機能部は、前記記憶したチャンネル固定情報を参照するチャンネル固定検索手段と、前記参照したチャンネル固定情報を視聴画面に表示するチャンネル固定情報表示手段と、をさらに備えていることを特徴とする。
これにより、ユーザは、現在のチャンネル固定の設定を簡易な操作で素早く知ることができる。
【００３６】
本発明のテレビジョン受像機において、前記チャンネル固定情報表示手段は、前記チャンネル固定情報を視聴画面にＯＳＤ表示することを特徴とする。
本発明のテレビジョン受像機において、前記チャンネル固定機能部は、ユーザが前記視聴画面に表示したチャンネル固定情報に含まれる受信経路のうち１つを選択した場合には、当該受信経路において取得されるＡ／Ｖ信号を視聴画面に出力させる視聴映像切り替え手段をさらに備えていることを特徴とする。
これにより、ユーザは、現在のチャンネル固定が設定されているチャンネルのいずれかを簡易な操作で視聴することができる。
【００３７】
本発明は、また、放送を選局し受信する１以上の受信処理部と、該受信信号をＡ／Ｖ信号に変換する１以上の信号処理部と、該Ａ／Ｖ信号を出力する１以上の出力制御部とを備えたテレビジョン受像機において用いるチャンネル固定プログラムであって、前記受信処理部、前記信号処理部及び前記出力制御部を組み合わせてなる１以上の受信経路を固定し記憶するチャンネル固定情報管理手段を備えたチャンネル固定プログラムを提供するものである。
【００３８】
本発明のチャンネル固定プログラムは、また、前記記憶したチャンネル固定情報を変更するチャンネル固定設定手段と、前記記憶したチャンネル固定情報を参照するチャンネル固定検索手段と、前記参照したチャンネル固定情報を視聴画面に表示するチャンネル固定情報表示手段と、ユーザが前記視聴画面に表示したチャンネル固定情報に含まれる受信経路のうち１つを選択した場合には、当該受信経路において取得されるＡ／Ｖ信号を視聴画面に出力させる視聴映像切り替え手段をさらに備えていることを特徴とする。
【００３９】
【発明の実施の形態】
以下、添付図面を参照しながら、本発明の実施の形態を詳細に説明する。
図１〜図６は、本発明の実施の形態を例示する図であり、これらの図において、同一の符号を付した部分は同一物を表わし、基本的な構成及び動作は同様であるものとする。
【００４０】
図１は、本発明のテレビジョン受像機の一実施形態について、その内部構成を概略的に示す機能ブロック図である。
図１において、本実施形態のテレビジョン受像機は、リモコン受光部３８及びリモコン受信部２２と、ＢＳ／ＣＳアンテナ３９、ＢＳ／ＣＳデジタルチューナ２３及び２４と、地上波放送用アンテナ４０、地上デジタルチューナ２５及びＵ／Ｖチューナ２６と、ＩＥＥＥ１３９４入力信号４１が入力されるＩＥＥＥ１３９４入力制御部２７と、外部Ａ／Ｖ入力信号４２が入力される外部Ａ／Ｖ入力制御部２８と、トランスポートデコーダ２９及び３０と、ＯＳＤ制御部３１と、Ａ／Ｖデコーダ３２及び３３と、アナログ映像音声処理部３４と、映像・音声出力制御部３５と、視聴画面４３及びスピーカ４４と、外部Ａ／Ｖ出力信号４５を出力する外部Ａ／Ｖ出力制御部３６と、ＩＥＥＥ１３９４出力信号４６を出力するＩＥＥＥ１３９４出力制御部３７と、上記各構成部分の動作を制御するシステムコントローラ２１とから構成されている。
【００４１】
リモコン受光部３８は、外部のリモコンから発信された光信号を受信する。リモコン受信部２２は、リモコン受光部３８において受信した光信号を復調して通信データを取得し、システムコントローラ２１に出力する。
【００４２】
ＢＳ／ＣＳアンテナ３９は、ＢＳ放送及びＣＳ放送を受信可能な混合アンテナであり、分配器などを介してＢＳ／ＣＳデジタルチューナ２３及び２４に接続されており、ＢＳ／ＣＳアンテナ３９で受信した放送信号は、ＢＳ／ＣＳデジタルチューナ２３及び２４に分配されて受信される。ＢＳ／ＣＳデジタルチューナ２３及び２４は、それぞれ、システムコントローラ２１から受信した選局信号に基づいて、所定の周波数チャンネルのＢＳ／ＣＳ放送を選局・受信し、受信信号をトランスポートデコーダ２９及び／又は３０に出力する。ＢＳ／ＣＳデジタルチューナ２３及び２４のそれぞれが２つのトランスポートデコーダ２９及び３０のうちいずれに受信信号を出力するかについては、システムコントローラ２１が制御するものとする。
【００４３】
地上波放送用アンテナ４０は、地上デジタル放送、ＵＨＦ／ＶＨＦを含む地上アナログ放送などを受信できる混合アンテナであり、地上波放送用アンテナ４０で受信した放送信号は、分配器などにより、地上デジタルチューナ２５及びＵ／Ｖチューナ２６のいずれかに分配されて受信される。
【００４４】
地上デジタルチューナ２５は、システムコントローラ２１から受信した選局信号に基づいて、所定の周波数チャンネルの地上デジタル放送を選局・受信し、受信信号をトランスポートデコーダ２９及び／又は３０に出力する。地上デジタルチューナ２５が２つのトランスポートデコーダ２９及び３０のうちいずれに受信信号を出力するかについては、システムコントローラ２１が制御するものとする。
【００４５】
Ｕ／Ｖチューナ２６は、従来の地上アナログ放送受信用のテレビジョン受像機に内蔵されているＵＨＦ／ＶＨＦ受信用チューナであり、システムコントローラ２１から受信した選局信号に基づいて、所定の周波数チャンネルのＵＨＦ／ＶＨＦ放送を選局・受信し、受信信号をアナログ映像音声処理部３４に出力する。
【００４６】
ＩＥＥＥ１３９４入力制御部２７は、本テレビジョン受像機が備えるＩＥＥＥ１３９４端子に接続された外部機器からのＩＥＥＥ１３９４入力信号４２を処理し、トランスポートデコーダ２９及び／又は３０に出力する。ＩＥＥＥ１３９４入力制御部２７が２つのトランスポートデコーダ２９及び３０のうちいずれに受信信号を出力するかについては、システムコントローラ２１が制御するものとする。ＩＥＥＥ１３９４入力信号４２は、例えば、外部接続されたハードディスクレコーダやＤＶＤプレイヤなどからの再生信号のほか、インターネットを通じてオンライン配信されるコンテンツの再生信号などである。
【００４７】
外部Ａ／Ｖ入力制御部２８は、本テレビジョン受像機に外部から入力される外部Ａ／Ｖ入力信号４２を処理し、得られたＡ／Ｖ信号をアナログ映像音声処理部３４に出力する。外部Ａ／Ｖ入力信号１４は、例えば、外部入力端子を通じて外部接続されたアナログ／デジタルビデオプレイヤからのＶＴＲ再生信号などである。
【００４８】
トランスポートデコーダ２９及び３０は、ＢＳ／ＣＳデジタルチューナ２３及び２４から受信したＢＳ／ＣＳ放送信号、地上デジタルチューナ２５から受信した地上デジタル放送信号、及びＩＥＥＥ１３９４入力制御部から受信したＩＥＥＥ１３９４入力信号に対して、所定の処理を行った後、それぞれＡ／Ｖデコーダ３２及び３３に出力するか、あるいは、ＩＥＥＥ１３９４出力制御部３７に出力する。いずれに出力するかは、システムコントローラ２１が制御するものとする。
【００４９】
Ａ／Ｖデータを含んだＢＳ／ＣＳ放送信号及び地上デジタル放送信号は、通常、ＭＰＥＧ２規格のトランスポートストリーム（ＴＳ）方式により、ＴＳパケットとして分割送信されているので、トランスポートデコーダ２９及び３０は、ＴＳパケットを再構成することにより、ＭＰＥＧ２規格のデジタルデータを生成する。
【００５０】
Ａ／Ｖデコーダ３２及び３３は、それぞれ、トランスポートデコーダ２９及び３０から受信したデジタルデータ信号をＭＰＥＧ２規格に従って復調（デコード）して、Ａ／Ｖデジタルデータを生成する。デコードされたＡ／Ｖデジタルデータは、さらに、視聴画面４３及びスピーカ４４において再生できるようにアナログＡ／Ｖ信号に変換されて、映像・音声出力制御部３５又は外部Ａ／Ｖ出力制御部３６に出力される。いずれに出力されるかは、システムコントローラ２１が制御するものとする。
【００５１】
アナログ映像音声処理部３４は、Ｕ／Ｖチューナ２６又は外部Ａ／Ｖ入力制御部２８から受信したＡ／Ｖ信号を、視聴画面４３及びスピーカ４４で再生できるように処理した後、システムコントローラ２１からの制御に応じて、映像・音声出力制御部３５又は外部Ａ／Ｖ出力制御部３６に出力する。
【００５２】
ＯＳＤ制御部３１は、視聴チャンネル、現在時刻、音量、各種設定画面などのＯＳＤ表示データをシステムコントローラ２１から受信し、視聴画面４３上に表示可能な形態（通常は画素値データ）として映像・音声出力制御部３５に出力する。
【００５３】
映像・音声出力制御部３５は、Ａ／Ｖデコーダ３２、３３又はアナログ映像音声処理部３４から受信したＡ／Ｖ信号と、ＯＳＤ制御部３１から受信したＯＳＤ表示データとを合成した後、映像信号を視聴画面４３に、音声信号をスピーカ４４に、それぞれ出力する。このとき、ＯＳＤ表示データは、映像信号上に重畳されて合成される。
視聴画面４３及びスピーカ４４は、図７に示す従来のテレビジョン受像機のものと同様に構成することができる。
【００５４】
外部Ａ／Ｖ出力制御部３６は、Ａ／Ｖデコーダ３２、３３又はアナログ映像音声処理部３４から受信したＡ／Ｖ信号を処理し、外部Ａ／Ｖ出力信号４５として本テレビジョン受像機の外部に出力する。外部Ａ／Ｖ出力信号４５は、例えば、外部出力端子を通じて外部接続されたアナログ／デジタルビデオレコーダで録画するためのＶＴＲ信号などである。
【００５５】
ＩＥＥＥ１３９４出力制御部３７は、トランスポートデコーダ２９及び３０から受信したデジタルデータ信号を処理し、ＩＥＥＥ１３９４出力信号４６として、ＩＥＥＥ１３９４端子に接続された外部機器に出力する。ＩＥＥＥ１３９４出力信号４６は、外部接続されたハードディスクレコーダやＤＶＤレコーダにデジタルデータとして記録される。
【００５６】
尚、本実施形態のテレビジョン受像機では、チャンネル固定をしている状態でユーザが電源をＯＦＦにしようと操作すると、装置全体の電源はＯＦＦにせず、チャンネル固定を保持するための必要な電力供給を維持したまま他の部分への電力供給をＯＦＦにしたスタンバイ状態となるよう、システムコントローラ２１により制御されるものとする。
【００５７】
続いて、以上のように構成された本実施形態のテレビジョン受像機において、各種放送やコンテンツを受信し視聴又は録画する態様について説明する。
図１に示す本実施形態のテレビジョン受像機において、デジタル放送（外部機器から提供されるデジタルＡ／Ｖコンテンツをも含む広い概念とする。以下、特に説明しない限り同様。）を受信しようとする場合には、ＢＳ／ＣＳデジタルチューナ２３及び２４、地上デジタルチューナ２５及びＩＥＥＥ１３９４入力制御部２７の４つのデジタル放送信号ソースが利用可能である。デジタル放送信号は、ＭＰＥＧ２−ＴＳとして構成されており、これを視聴画面で視聴可能なＡ／Ｖ信号に変換するためには、トランスポートデコーダ及びＡ／ＶデコーダからなるＭＰＥＧ２−ＴＳ信号処理系統が必要となる。本実施形態のテレビジョン受像機は、トランスポートデコーダ２９及びＡ／Ｖデコーダ３２と、トランスポートデコーダ３０及びＡ／Ｖデコーダ３３の２つのＭＰＥＧ２−ＴＳ信号処理系統を備えているので、上記４つのデジタル放送信号ソースのうち、２つを選択して受信信号の処理を行うことができる。
【００５８】
また、本実施形態のテレビジョン受像機において、アナログ放送（外部機器から提供されるアナログＡ／Ｖコンテンツをも含む広い概念とする。以下、特に説明しない限り同様。）を受信しようとする場合には、Ｕ／Ｖチューナ２６及び外部Ａ／Ｖ入力制御部２８の２つのアナログ放送信号ソースが利用可能である。アナログ放送信号を視聴画面で視聴可能なＡ／Ｖ信号に変換するアナログ映像音声処理部は１つであるから、上記２つのアナログ放送信号ソースのうち、１つを選択して受信信号の処理を行うことができる。
【００５９】
一方、本実施形態のテレビジョン受像機において、映像・音声出力制御部３５は、視聴画面４３上に２種類の異なる映像を表示することができる。その表示形態については様々なものが考えられるが、例えば、一方の映像をメイン画面として視聴画面４３全体に表示するとともに、他方の映像をサブ画面として視聴画面４３の隅に小さく表示することができる。このとき、スピーカ４４における音声の再生については、メイン画面の音声を再生するようにすればよい。このほか、視聴画面４３を２分割して、２種類の異なる映像を並べて表示するようにしてもよい。
【００６０】
このとき、映像・音声出力制御部３５は、Ａ／Ｖデコーダ３２及び３３とアナログ映像音声処理部３４とからＡ／Ｖ信号を受信して、映像信号及び音声信号をそれぞれ視聴画面４３及びスピーカ４４に出力することができる。すなわち、映像・音声出力制御部３５は、２つのデジタルＡ／Ｖ信号ソースと１つアナログＡ／Ｖ信号ソースのうち、２つを選択してユーザに視聴させることができる。映像・音声出力制御部３５は、もちろん、１つのＡ／Ｖ信号のみを受信して出力することもできる。
【００６１】
外部Ａ／Ｖ出力制御部３６も、また、Ａ／Ｖデコーダ３２及び３３とアナログ映像音声処理部３４とからＡ／Ｖ信号を受信可能であり、これら２つのデジタルＡ／Ｖ信号ソースと１つアナログＡ／Ｖ信号ソースのうち、１つを選択して外部Ａ／Ｖ出力信号４５として出力することができる。
【００６２】
ＩＥＥＥ１３９４出力制御部３７は、トランスポートデコーダ２９及び３０からＭＰＥＧ２デジタルデータ信号を受信可能であり、これら２つのＭＰＥＧ２デジタルデータ・ソースのうち１つを選択してＩＥＥＥ１３９４出力信号４６として出力することができる。
【００６３】
本実施形態のテレビジョン受像機では、上記した放送受信（又はコンテンツデータ取得）、信号処理及び出力の組み合わせを固定することにより、チャンネル固定を行うことができる。
【００６４】
例として、チャンネル固定をしながら外部接続したビデオレコーダに録画を行う場合を考える。ユーザが録画するチャンネルを選局しチャンネル固定を設定すると、デジタル放送チャンネルの場合には、ＢＳ／ＣＳデジタルチューナ２３、２４、地上デジタルチューナ２５又はＩＥＥＥ１３９４入力制御部２７からの放送信号を２つのＭＰＥＧ２−ＴＳ信号処理系統のいずれかにおいて処理し、外部Ａ／Ｖ出力制御部３６に出力する経路が設定される。２つのＭＰＥＧ２−ＴＳ信号処理系統のうちいずれが利用されるかについては、システムコントローラ２１が自動的に決定してもよいし、ユーザ操作によって選択されるようにしてもよい。
【００６５】
あるいは、選局したチャンネルがアナログ放送であれば、Ｕ／Ｖチューナ２６からの放送信号をアナログ映像音声処理部３４において処理し、外部Ａ／Ｖ出力制御部３６に出力する経路が設定される。尚、通常外部接続されるビデオレコーダは録画及び再生を並行して実行できないため、ここでは外部Ａ／Ｖ入力制御部２８からの受信は考えていないが、例えば、入力端子及び出力端子に別々のビデオレコーダ及びビデオプレイヤを接続すれば、外部Ａ／Ｖ入力制御部２８から受信し、外部Ａ／Ｖ出力制御部３６に出力する経路も選択することができる。
【００６６】
チャンネル固定の設定が行われると、システムコントローラ２１はその設定情報を記憶し、所定の解除操作が行われない限りは、固定したチャンネルの選局状態が変更されることないよう、各チューナ及びデコーダの動作を制御する。
【００６７】
図２は、本実施形態のテレビジョン受像機において、チャンネル固定を設定したときの放送受信経路を例示する図である。
図２に示す例では、ＢＳ／ＣＳ放送のチャンネルを受信して外部接続されたビデオレコーダに録画する第１の受信経路と、地上デジタル放送のチャンネルを受信して、外部接続されたＩＥＥＥ１３９４機器に録画する第２の受信経路とが設定され、チャンネル固定されている。
【００６８】
第１の受信経路は、ＢＳ／ＣＳデジタルチューナ２３において選局・受信したデジタル放送信号を、トランスポートデコーダ２９及びＡ／Ｖデコーダ３２からなるＭＰＥＧ２−ＴＳ信号処理系統において処理した後、外部Ａ／Ｖ出力制御部３６に出力するものである。
【００６９】
第２の受信経路は、地上デジタルチューナ２５において選局・受信したデジタル放送信号を、トランスポートデコーダ３０に受信した後、ＩＥＥＥ１３９４出力制御部３７に出力するものである。
【００７０】
このとき、テレビジョン受像機が備えているデジタル放送信号の処理経路（すなわち２つのＭＰＥＧ２−ＴＳ信号処理系統）はすべてチャンネル固定が適用されているため、ユーザがさらに別のデジタル放送チャンネルを選局して視聴することはできない状態となっている。尚、チャンネル固定の対象となっている（現在選局されている）デジタル放送チャンネルであれば、映像・音声出力制御部３５に受信して、視聴画面４３及びスピーカ４４に出力させることが可能である（図２の点線矢印）。この動作によってはチャンネル固定が変更されることがないからである。
【００７１】
図２に示す状態では、さらに、Ｕ／Ｖチューナ２６において選局・受信した地上アナログ放送をアナログ映像音声処理部３４において処理した後、映像・音声出力制御部３５に出力する受信経路が利用可能であるので、ユーザは、バックグラウンドではデジタル放送２チャンネルを外部接続したビデオレコーダ及びＩＥＥＥ１３９４機器にそれぞれ録画しながら、視聴画面４３及びスピーカ４４では、アナログ放送を視聴することができる。
【００７２】
続いて、本実施形態のテレビジョン受像機において、チャンネル固定の設定・表示・解除等を行う機能について説明する。これらの機能は、ユーザがリモコンのボタンやＯＳＤメニュー操作を操作して利用することができるものであり、システムコントローラ２１内のチャンネル固定機能部により提供されるものである。
【００７３】
図３は、システムコントローラ２１内のチャンネル固定機能部２１０の内部構成を概略的に示す図である。チャンネル固定機能部２１０は、チャンネル固定設定・解除手段２１０ａ、チャンネル固定検索手段２１０ｂ、チャンネル固定情報管理手段２１０ｃ、チャンネル固定情報表示手段２１０ｄ及び視聴映像切り替え手段２１０ｅを備えている。
【００７４】
チャンネル固定設定・解除手段２１０ａは、ユーザからのリモコン操作に従って、本テレビジョン受像機に固定チャンネルを設定し、あるいは既に設定されている固定チャンネルを解除する機能を提供する。尚、設定された固定チャンネルの情報は、後述するように、チャンネル固定情報管理手段２１０ｃにより管理されている。
チャンネル固定検索手段２１０ｂは、本テレビジョン受像機において現在設定されている固定チャンネルを検索する機能を提供する。
【００７５】
チャンネル固定情報管理手段２１０ｃは、チャンネル固定の設定情報を記憶し管理する機能を提供するものであり、上記チャンネル固定設定・解除手段２１０ａによるチャンネル固定の設定・解除に応じて記憶した設定情報を更新し、また、上記チャンネル固定検索手段２１０ｂによる問い合わせに対して応答データを返信する。固定チャンネルの設定情報は、メモリ等の記憶媒体に所定の方法により記憶されているものとする。
【００７６】
図４は、テレビジョン受像機においてチャンネル固定の設定情報を記憶する一形態を示す図である。図４に示す記憶形態では、チャンネル固定ごとに、その受信経路に含まれる選局・受信処理系統（各種アンテナ及びチューナ）、信号処理系統（各種デコーダ及び信号処理部）、出力系統（各種出力制御部）、その他必要な情報を記憶したレコードを含んだテーブルを構成している。
【００７７】
尚、本実施形態のテレビジョン受像機におけるチャンネル固定情報の記憶形態は上記に限られるものではなく、例えば、チャンネル固定した受信経路にフラグを立てるような方式を利用することもできる。
【００７８】
再び図３において、チャンネル固定情報表示手段２１０ｄは、チャンネル固定設定・解除手段２１０ａにより設定・解除した後のチャンネル固定状態、又はチャンネル固定検索手段２１０ｂにより検索した現在のチャンネル固定状態を視聴画面４３に表示する機能を提供する。その表示画面は、ＯＳＤ制御部３１及び映像・音声出力制御部３５により作成されて、視聴画面４３に出力されるものとする。
【００７９】
視聴映像切り替え手段２１０ｅは、上記チャンネル固定状態の表示の際に、ユーザがチャンネル固定しているチャンネルのいずれかを視聴するよう選択した場合に、当該チャンネルを視聴画面４３に表示させる機能を提供する。例えば、図２に示す例では、チャンネル固定されている２つのデジタル放送チャンネルのうちいずれかを視聴するようユーザが選択すると、システムコントローラ２１が各部を制御し、映像・音声出力制御部３５においてＡ／Ｖデコーダ３２又は３３からのＡ／Ｖ信号を受信し視聴画面４３に出力するように動作させる。
【００８０】
ここで、ユーザがチャンネル固定を設定しようとする場合には、まず、固定したいチャンネルへを選局し、そのチャンネルを視聴している状態でリモコン操作又はＯＳＤメニュー操作によりチャンネル固定を設定する。この操作に応じて、チャンネル固定機能部２１０のチャンネル固定設定・解除手段２１０ａは、設定されたチャンネル固定の情報をチャンネル固定情報管理手段２１０ｃに提供する。チャンネル固定情報管理手段２１０ｃは取得したチャンネル固定情報をメモリ等に所定の形態で記憶する。また、チャンネル固定情報表示手段２１０ｄは、今設定したチャンネル固定状態を、視聴画面４３に表示させる。ユーザはこの表示によりチャンネル固定が設定されたことを確認することができる。
【００８１】
ユーザが、現在設定されているチャンネル固定を表示する操作を行った場合には、チャンネル固定機能部２１０のチャンネル固定検索手段２１０ｂが、チャンネル固定情報管理手段２１０ｃから現在記憶されているチャンネル固定情報を検索し、チャンネル固定情報表示手段２１０ｄに検索結果を提供する。チャンネル固定情報表示手段２１０ｄは、検索結果であるチャンネル固定情報の一覧を視聴画面４３に表示させる。ユーザは、この表示を見てチャンネル固定の設定を確認することができる他、表示されているチャンネル固定のうちいずれかのチャンネルを視聴画面４３において視聴するよう操作することができる。この操作に応じて、チャンネル固定情報表示手段２１０ｄは、ユーザが選択したチャンネルの情報を視聴映像切り替え手段２１０ｅに提供する。視聴映像切り替え手段２１０ｅは、当該チャンネルを視聴画面４３に表示させる。
【００８２】
また、上記で現在設定されているチャンネル固定が表示された状態において、ユーザはいずれかのチャンネル固定を解除するよう操作することもできる。この場合には、チャンネル固定情報表示手段２１０ｄは、ユーザが選択したチャンネルの情報をチャンネル固定設定・解除手段２１０ａに提供する。チャンネル固定設定・解除手段２１０ａは、チャンネル固定情報管理手段２１０ｃに対して、当該チャンネル固定の情報を消去するよう命令する。
【００８３】
図５は、チャンネル固定機能部２１０のチャンネル固定情報表示手段２１０ｄにより、チャンネル固定情報を視聴画面４３に表示する諸形態を例示する図である。ここで、現在、本テレビジョン受像機において、ＢＳ１０３チャンネルと地上デジタル１３１チャンネルがチャンネル固定されているものとする。
【００８４】
図５（ａ）は、視聴映像にチャンネル固定情報を重畳してＯＳＤ表示する例である。図５（ｂ）は、複数のチャンネル固定情報を一覧表示する例であり、各チャンネルの視聴映像に当該チャンネル固定情報を重畳してＯＳＤ表示した画面を並列表示している。図５（ｃ）は、チャンネル固定情報の一覧をテキスト情報のみでＯＳＤ表示する例である。
【００８５】
尚、図３に示すチャンネル固定機能部２１０は、メモリとプログラム又はプログラム群から構成することができ、システムコントローラ２１の主制御部がこれらのプログラム又はメモリのデータを呼び出して所定の動作を行うようにすることができる。
【００８６】
以上説明した本実施形態のテレビジョン受像機では、多チャンネル化、多チューナ化、多画面化した受信環境において、ユーザが多数の受信チャンネルの中からいくつかのチャンネルを選んでチャンネル固定を設定したような場合であっても、現在設定されているチャンネル固定状態の表示や変更などを簡易な操作で行うことができるので、ユーザは自らが設定した煩雑なチャンネル固定状態を覚えなくともよく、また覚えていないためにうっかり録画を取り消してしまったりすることがもなくなる。
【００８７】
また、チャンネル固定を設定した状態でユーザがテレビジョン受像機の電源をＯＦＦにした後（このとき、上記したように、テレビジョン受像機のチャンネル固定に関わる部分には電力が供給され続けるスタンバイ状態となる）、テレビジョン受像機の電源を再びＯＮにした場合であっても、以前に設定していたチャンネル固定を視聴画面に表示させて確認することができる。
【００８８】
尚、上記で説明した実施形態では、近年の放送システムの拡充による多チューナ化、多チャンネル化、多画面化に対応した機能を有するテレビジョン受像機を例にとって示しているが、本発明のテレビジョン受像機はこれに限定されるものではなく、例えば、図６に示すような、より簡素な構成のテレビジョン受像機にも適用可能である。
【００８９】
図６に示すテレビジョン受像機は、リモコン受光部６２及びリモコン受信部５２と、ＢＳ／ＣＳアンテナ６３及びＢＳ／ＣＳデジタルチューナ５３と、Ｕ／Ｖアンテナ６４及びＵ／Ｖチューナ５４と、ＩＥＥＥ１３９４入力信号６５が入力されるＩＥＥＥ１３９４入力制御部５５と、トランスポートデコーダ５６と、ＯＳＤ制御部５７と、Ａ／Ｖデコーダ５８と、アナログ映像音声処理部７０と、映像・音声出力制御部５９と、視聴画面６６及びスピーカ６７と、外部Ａ／Ｖ出力信号６８を出力する外部Ａ／Ｖ出力制御部６０と、ＩＥＥＥ１３９４出力信号６９を出力するＩＥＥＥ１３９４出力制御部６１と、上記各構成部分の動作を制御するシステムコントローラ５１とから構成されている。
【００９０】
これら各構成部分については、図１に示した実施形態のものと同様に構成することができる。また、システムコントローラ５１内部に備えるチャンネル固定機能部も、図３に示すチャンネル固定機能部２１０と同様なものとなる。
【００９１】
尚、図６に示すテレビジョン受像機の構成では、チャンネル固定され得る受信経路は、ＢＳ／ＣＳデジタルチューナ５３又はＩＥＥＥ１３９４入力信号６５と、トランスポートデコーダ５６と、Ａ／Ｖデコーダ５８とを含んだ１系統のみであるため、視聴画面６６にチャンネル固定情報を表示したとしても、ユーザがチャンネル固定の選択をする操作は不要となるので、当該機能にかかる部分を省略することができる。
【００９２】
以上、本発明のチャンネル固定機能を備えたテレビジョン受像機について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【００９３】
【発明の効果】
以上、説明したように、本発明によれば、チャンネル固定機能を備えた多チャンネル、多チューナ対応のテレビジョン受像機であって、現在設定しているチャンネル固定状態の表示や変更などを簡易な操作で行うことができるテレビジョン受像機が提供される。
【００９４】
これにより、従来のチャンネル固定機能を備えたテレビジョン受像機に比べて、現在チャンネル固定が設定されているチャンネルを探す操作の煩雑さが大幅に軽減される。
【００９５】
また、ユーザは、簡易な操作により、現在チャンネル固定が設定されているチャンネルを即座に視聴画面上に表示することができるので、例えば、この機能をビデオ録画中に録画状態を確認する録画モニタとして使用したり、あるチャンネルを一時的にチャンネル固定しておいて、別な受信経路を用いてザッピングを行った後、再びチャンネル固定しておいたチャンネルを表示させる選局マーキング機能として使用したりすることが可能である。
【図面の簡単な説明】
【図１】本発明のテレビジョン受像機の一実施形態について、その内部構成を概略的に示す機能ブロック図である。
【図２】図１に示すテレビジョン受像機において、チャンネル固定を設定したときの放送受信経路を例示する図である。
【図３】システムコントローラ２１内のチャンネル固定機能部２１０の内部構成を概略的に示す図である。
【図４】図１に示すテレビジョン受像機において、チャンネル固定の設定情報を記憶する一形態を示す図である。
【図５】図４に示すチャンネル固定機能部２１０のチャンネル固定情報表示手段２１０ｄにより、チャンネル固定情報を視聴画面４３に表示する諸形態を例示する図である。
図５（ａ）は、視聴映像にチャンネル固定情報を重畳してＯＳＤ表示する例である。図５（ｂ）は、複数のチャンネル固定情報を一覧表示する例であり、各チャンネルの視聴映像に当該チャンネル固定情報を重畳してＯＳＤ表示した画面を並列表示している。図５（ｃ）は、チャンネル固定情報の一覧をテキスト情報のみでＯＳＤ表示する例である。
【図６】本発明の他の実施形態として、より簡素な構成のテレビジョン受像機について、その内部構成を概略的に示す機能ブロック図である。
【図７】従来使用されているＢＳ／ＣＳチューナ内蔵テレビジョン受像機の内部構成を概略的に示す機能ブロック図である。
【符号の説明】
１    システムコントローラ
２    リモコン受信部
３    ＢＳ／ＣＳチューナ
４    Ｕ／Ｖチューナ
５    外部Ａ／Ｖ入力制御部
６    ＢＳ／ＣＳデコーダ
７    ＯＳＤ制御部
８    アナログ映像音声処理部
９    映像・音声出力制御部
１０  外部Ａ／Ｖ出力制御部
１１  リモコン受光部
１２  ＢＳ／ＣＳアンテナ
１３  Ｕ／Ｖアンテナ
１４  外部Ａ／Ｖ入力信号
１５  視聴画面
１６  スピーカ
１７  外部Ａ／Ｖ出力信号
２１  システムコントローラ
２２  リモコン受信部
２３  ＢＳ／ＣＳデジタルチューナ
２４  ＢＳ／ＣＳデジタルチューナ
２５  地上デジタルチューナ
２６  Ｕ／Ｖチューナ
２７  ＩＥＥＥ１３９４入力制御部
２８  外部Ａ／Ｖ入力制御部
２９  トランスポートデコーダ
３０  トランスポートデコーダ
３１  ＯＳＤ制御部
３２  Ａ／Ｖデコーダ
３３  Ａ／Ｖデコーダ
３４  アナログ映像音声処理部
３５  映像・音声出力制御部
３６  外部Ａ／Ｖ出力制御部
３７  ＩＥＥＥ１３９４出力制御部
３８  リモコン受光部
３９  ＢＳ／ＣＳアンテナ
４０  地上波放送用アンテナ
４１  ＩＥＥＥ１３９４入力信号
４２  外部Ａ／Ｖ入力信号
４３  視聴画面
４４  スピーカ
４５  外部Ａ／Ｖ出力信号
４６  ＩＥＥＥ１３９４出力信号
５１  システムコントローラ
５２  リモコン受信部
５３  ＢＳ／ＣＳデジタルチューナ
５４  Ｕ／Ｖチューナ
５５  ＩＥＥＥ１３９４入力制御部
５６  トランスポートデコーダ
５７  ＯＳＤ制御部
５８  Ａ／Ｖデコーダ
５９  映像・音声出力制御部
６０  外部Ａ／Ｖ出力制御部
６１  ＩＥＥＥ１３９４出力制御部
６２  リモコン受光部
６３  ＢＳ／ＣＳアンテナ
６４  Ｕ／Ｖアンテナ
６５  ＩＥＥＥ１３９４入力信号
６６  視聴画面
６７  スピーカ
６８  外部Ａ／Ｖ出力信号
６９  ＩＥＥＥ１３９４出力信号
７０  アナログ映像音声処理部
２１０    チャンネル固定機能部
２１０ａ  チャンネル固定設定・解除手段
２１０ｂ  チャンネル固定検索手段
２１０ｃ  チャンネル固定情報管理手段
２１０ｄ  チャンネル固定情報表示手段
２１０ｅ  視聴映像切り替え手段
【図１】
2005026821.tif 000003
【図２】
2005026821.tif 000004
【図３】
2005026821.tif 000005
【図４】
2005026821.tif 000006
【図５】
2005026821.tif 000007
【図６】
2005026821.tif 000008
【図７】
2005026821.tif 000009